(57)【要約】【課題】バルコニー，廊下，庇，パラペット等突出部分を有する建築物及び外装材の選択を多岐に要求される建築物において、外断熱工法により建築物全体の断熱欠損を最小限に抑え，断熱性能と外装材を目的に応じて自由に選択できる建築物および建築方法を提供する。【解決手段】例えばＲＣ造の集合住宅において、躯体外壁面に断熱層を挟み躯体梁と平行に二重梁を設ける。これによりバルコニー，廊下，庇，パラペット等を支持するとともに二重梁上下間に断熱層を有した外装用二重壁を設置する。これにより断熱層の厚さは自由に設定でき，外装材は二重梁上下間で支持されるため重量等の制約を受けず自由に選択できる。またこの外壁断熱層は基礎・屋根断熱層へ合理的に連続されるため、建物全体の断熱性能の向上が容易にはかられる。【選択図】        図３
2004346672.tif 000002
【特許請求の範囲】
【請求項１】
躯体外壁面に断熱層を挟み躯体梁と平行に設けられた二重梁により支持される外装用二重壁およびバルコニー，廊下，庇，パラペット等突出部分を有することを特徴とする外断熱工法により断熱施工された建築物
【請求項２】
請求項１記載の建築物であり断熱層の厚さと外装下地および外装材を自由に選択できることを特徴とする建築物
【請求項３】
請求項１記載の建築物であり外壁断熱層と連続された外断熱工法の基礎および屋根断熱層を有することを特徴とする建築物
【請求項４】
外断熱工法により断熱施工された建築物を建築する方法であり、請求項１記載の建築物を建築する方法
【請求項５】
外断熱工法により断熱施工された建築物を建築する方法であり、請求項２記載の建築物を建築する方法
【請求項６】
外断熱工法により断熱施工された建築物を建築する方法であり、請求項３記載の建築物を建築する方法
【請求項７】
請求項１に記載する二重梁を断熱層や突出部分とともに建築物の躯体と一体に形成することを特徴とする請求項４記載の方法
【発明の詳細な説明】
【０００１】
【発明の属する技術分野】
本発明は、外断熱工法により断熱施工された建築物およびその建築方法に係り、特にバルコニー，廊下，庇，パラペット等突出部分を有する建築物において、建築物全体として良好な断熱性を確保し、また多様な外装材の要求にも対応できる合理的で良好な建築方法に関するものである。
【０００２】
【従来の技術】
従来から外断熱工法は知られており、その理論的効能（省エネルギー，室内環境の改善、躯体耐久性の向上など）は周知のこととなっている。しかしこの工法には断熱欠損部分の対策や外装材制約の解消，耐久性の向上，生産性の向上等解決すべき問題が数多く残されており、建築物全体を総合的に合理的に解決する方法が期待されている。
【０００３】
【発明が解決しようとする課題】
たとえばＲＣ造のマンションなどの場合バルコニー，廊下，庇，パラペットなど躯体から突出する部分（以下突出部分）を有する壁面と妻側のように突出部分のない壁面によって構成される場合が多い。このような建築物に外断熱工法により断熱層を施す場合突出部分を断熱層で包み込むことは、防水処理，外装材処理のうえで施工上煩雑さが伴い、生産性，耐久性の問題が生じ、現実的ではない。
また妻壁壁面の場合には断熱層が厚くなるほど、外装材が重くなるほど、建物が高層になるほど、躯体に取り付けられる外装材取付金具は堅固なものが必要とされ、結果高価なものになる上、この部分よりヒートブリッジ（熱橋）が生じてしまう。
【０００４】
本発明は上述の点を鑑みてなされたものであり、突出部分を有する建築物において外断熱工法により建築物全体の断熱欠損を最小限に抑え、断熱性能（断熱層の厚さ）や外装材を目的に応じて自由に選択でき、また外壁面のみならず、基礎，屋根の断熱層を連続して一体に形成することが合理的に容易に可能な建築物および建築方法を提供することを目的とする。
【０００５】
【課題を解決するための手段】
上記の目的は請求項１及び請求項４に記載した如く、躯体外壁面に断熱層を挟み躯体梁と平行に設置された二重梁で突出部分を支持することにより突出部分の断熱工事を不要とし、またこの二重梁上下で支持された外装用二重壁（断熱層をもち、躯体から独立している）により断熱層の欠損をなくした建築物および建築方法により達成される。
【０００６】
また、請求項１における建築物の二重梁及び二重壁は断熱層の厚さを自由に設定でき、またこの二重壁は二重梁上下で各階ごとに支持されることから、外装材の重量等の制約も受けず外装材の種類，組み合わせも自由に設定できる。請求項２及び請求項５の如き建築物および建築方法により上記目的は達成される。
【０００７】
更に、建築物全体でみれば上記の目的は請求項３および請求項６に記載した如く、外壁断熱材と外断熱工法で断熱施工された基礎および屋根断熱層が合理的に連続される建築物および建築方法により達成される。
【０００８】
また請求項７に記載した如く、請求項１における建築物の二重梁は断熱層や突出部分とともに建築物の躯体と一体に、同時に形成することにより施工の合理化が図られる。
【０００９】
【発明の実施の形態】
以下図面を参照して本発明の好ましい実施形態を説明する。図１は、本発明の一実施形態であるＲＣ造集合住宅の概略平面図であり、図２は図１に示す建築物の梁伏図である。
【００１０】
図１に示す如く、ＲＣ造集合住宅の住戸１にはバルコニー２，共用廊下３が各フロアーに設けられている。このバルコニー２，共用廊下３は図２に示す如く片持梁１５に支持された二重梁１６により支持される。またこの二重梁１６により外装材も支持される。突出部分のない妻側も同様である。
【００１１】
図３は共用廊下（Ａ−Ａ）の縦断面図である。図３に示す如く二重梁１６と躯体大梁１３の間には打込断熱材２０が挟まれており、この二重梁１６は廊下を構成する片持スラブ１７，テスリ６や庇４を支持する。また、二重梁１６には充填断熱材２２を設置したうえで外装下地材３０（通気層も兼ねる），外装材３１が取り付けられる。この二重壁の上下には通気孔３５が取付られる。更に、外壁断熱材２０，２２は基礎断熱層となる打込断熱材２１及び屋根断熱層となる後付断熱材２３と連続して構成される。
【００１２】
図４はバルコニー（Ｂ−Ｂ）の縦断面図である。バルコニー等が大きい場合、荷重が大きい場合に片持梁１５，小梁１４がバルコニーを構成するスラブ，テスリ６や庇４を支持しており、基本的構成は図３と同様である。
【００１３】
図５は突出部分のない妻側（Ｃ−Ｃ）の縦断面図である。図５に示す如く、基本的には図３構成と同様であるが二重梁１６にパラペット５が取り付けられるため、外壁断熱層と屋根断熱層２３の連続性は良好である。また、基礎断熱層の外側には外装材支持のため布基礎１９を設けているが、外装材が重いときなどは二重梁１６としてもよい。
【００１４】
図３，図４，図５における二重梁１６と二重壁を構成する外装下地材３０，外装材３１及び自立型外装材３２は建築物躯体より独立していることから断熱層の厚さを自由に設定でき、断熱層の欠損もなくすことができる。またこの二重壁は二重梁１６上下間で各階毎に支持されるため、外装材の重量等の制約も受けず、自由に組み合わせ，選択が可能である。なおこの建築物全体として見ても熱橋が発生する部分は片持梁１５部分のみであり、断熱補強も容易にできる。このように建築物全体として良好な断熱性能が得られる。
【００１５】
図６は図３，図４，図５に示す二重梁１６部分（Ｄ−Ｄ）の平面図である。図６に示す如く、躯体より片持ち梁１５が跳ねだされ二重梁１６が支持される。なお二重梁１６，打込断熱材２０，バルコニー，廊下，庇，パラペット等は躯体である柱１２，大梁１３，外壁，戸堺壁などと共にコンクリート一体打設することにより施工の合理化が図られる。
【００１６】
図７は図３，図４，図５に示す二重壁部分（Ｅ−Ｅ）の平面図である。図７に示す如く、充填断熱材２２を挟んで外装下地材３０，それに取り付けられた外装材３１および自立型外装材３２が示されている。これら外装材は二重梁上下間で支持されている。
【００１７】
図８は図３，図４，図５に示すサッシュ部分（Ｆ−Ｆ）部分の平面図である。
【００１８】
図９は図６に示す片持梁部分（Ｇ−Ｇ）の構成を示す図である。二重梁に沿って打込断熱材２０があり上下には充填断熱材２２が設置されている。この建築物で熱橋となるのは片持梁１５部分のみである。
【００１９】
なお上記実施形態ではラーメン構造の場合を示したが、壁構造，壁式ラーメン構造，バルコニー等の外側に柱，梁を設けたアウトフレームラーメン構造等の構造形式の建築物にも適用可能である。特に壁構造の場合、住戸内側に柱，梁が突出しない分だけ施工上合理化が図られる。
【００２０】
【発明の効果】
以上説明したように、本発明によれば躯対外壁面に断熱層を挟み、躯体梁と平行に設けられた二重梁により、バルコニー，廊下，庇，パラペット等および外装用二重壁が支持されるため、断熱欠損を最小限に抑え目的に応じた断熱性能（断熱材の厚さ）や外装材の選択が自由な建築物および建築方法が、合理的に安価に提供される。
【００２１】
また、外断熱工法により施工された基礎及び屋根断熱層と上記外壁断熱層は理想的に連続されることから建築物全体の断熱性能の向上が容易に図られる。
【図面の簡単な説明】
【図１】本発明の一実施形態に係わるＲＣ造集合住宅の概略平面図である。
【図２】図１に示す建築物の梁伏図である。
【図３】廊下（Ａ−Ａ）の縦断面図である。
【図４】バルコニー（Ｂ−Ｂ）の縦断面図である。
【図５】妻側（Ｃ−Ｃ）の縦断面図である。
【図６】図３，図４，図５に示す二重梁部分（Ｄ−Ｄ）の平面図である。
【図７】図３，図４，図５に示す二重壁部分（Ｅ−Ｅ）の平面図である。
【図８】図３，図４，図５に示すサッシュ部分（Ｆ−Ｆ）の平面図である。
【図９】図６に示す片持梁部分（Ｇ−Ｇ）の構成を示す図である。
【符号の説明】
１    住戸
２    バルコニー
３    共用廊下
４    庇
５    パラペット
６    テスリ
７    サッシュ
１０  戸境壁
１１  外壁
１２  柱（ラーメン構造の場合）
１３  大梁
１４  小梁
１５  片持梁
１６  二重梁
１７  片持スラブ
１８  地中梁
１９  布基礎
２０  打込断熱材（不燃−無機系撥水断熱ボード等）
２１  打込断熱材（有機系−ポリスチレンフォーム等）
２２  充填断熱材（不燃−無機系）
２３  後付断熱材（有機系−ポリスチレンフォーム等）
３０  外装下地材（通気層兼用．不燃−ＬＧＳ等）
３１  外装材（不燃−金属板，サイディング，乾式タイル等）
３２  自立型外装材（不燃−レンガ，化粧ブロック等）
３３  防水下地材（モルタル，不燃ボード等）
３４  通気層
３５  通気孔
【図１】
2004346672.tif 000003
【図２】
2004346672.tif 000004
【図３】
2004346672.tif 000005
【図４】
2004346672.tif 000006
【図５】
2004346672.tif 000007
【図６】
2004346672.tif 000008
【図７】
2004346672.tif 000009
【図８】
2004346672.tif 000010
【図９】
2004346672.tif 000011